(57)【要約】【課題】バックの内部に収容された携帯電話機に着呼した際に、バックに振動を加えることにより、迅速にスピーカーの鳴動音量を減少する。【解決手段】振動検知部２１はユーザがバックの外部から所定の振動を加える度に振動を検知する。振動データ比較制御部２２は振動検知部が検知した検知信号レベルと振動加速度レベル保持部２３に格納されている基準値とを比較し検知信号レベルが基準値を超えたとき振動検知回数１を出力する。振動検知回数制御部２６は振動データ比較制御部が出力する振動検知回数を計数する。音量制御部２４は振動検知回数制御部が計数した振動検知回数に対応する鳴音制御レベルを音量レベル保持部２５から読み出し携帯電話機１の共通制御部１０へ転送する。共通制御部は転送された鳴音制御レベルに応じてスピーカー部６を鳴動する。【選択図】　　　図１
2004080616.tif 000002
【特許請求の範囲】
【請求項１】
着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から加える所定の振動を検知し、前記スピーカーの鳴動音量を減少するよう制御する音量制御機能を有することを特徴とする携帯電話機の振動検知による鳴動音量制御方式。
【請求項２】
着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知してその振動検知回数を順次計数し、前記振動検知回数に応じて前記スピーカーの鳴動音量を順次減少するよう制御する音量制御機能を有することを特徴とする携帯電話機の振動検知による鳴動音量制御方式。
【請求項３】
着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知する振動検知機能と、前記振動検知機能が検知した検知信号レベルと予め設定された振動感度である加速度レベルの基準値とを比較し前記検知信号レベルが前記基準値を超えたときその振動検知回数を順次計数する振動検知回数計数機能と、前記振動検知回数計数機能が計数した前記振動検知回数に応じて前記スピーカーの鳴動音量を順次減少するよう制御する音量制御機能を有することを特徴とする携帯電話機の振動検知による鳴動音量制御方式。
【請求項４】
着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知する振動検知部と、振動感度である加速度レベルの基準値を予め格納しておく振動加速度レベル保持部と、前記振動検知部が検知した検知信号レベルと前記振動加速度レベル保持部に格納されている前記基準値とを比較し検知信号レベルが前記基準値を超えたとき振動検知回数１を出力する振動データ比較制御部と、前記振動データ比較制御部が出力する前記振動検知回数を計数する振動検知回数制御部と、前記スピーカーの鳴動制御レベルを前記振動検知回数に対応して予め格納しておく音量レベル保持部と、前記振動検知回数制御部が計数した前記振動検知回数に対応する前記鳴動制御レベルを前記音量レベル保持部から読み出し前記携帯電話機の共通制御部へ転送する音量制御部とから成る音量制御機能とを有し、前記共通制御部が転送された前記鳴音制御レベルに応じて前記スピーカーを鳴動することを特徴とする携帯電話機の振動検知による鳴動音量制御方式。
【請求項５】
ユーザがバックの外部から加える所定の振動の検知は、加速度センサにより検知することを特徴とする請求項１乃至４のいずれか１項に記載の携帯電話機の振動検知による鳴動音量制御方式。
【請求項６】
前記振動検知回数制御部が計数する前記振動検知回数は最大３回とし、前記振動検知回数が３回を超えたときは鳴動音量制御を停止し待機状態とすることを特徴とする請求項２乃至４のいずれか１項に記載の携帯電話機の振動検知による鳴動音量制御方式。
【請求項７】
前記スピーカーの鳴動音量は、着呼時は前記携帯電話機の初期値設定レベルである音量大で、前記振動検知回数が１回のとき前記初期値設定レベルより低い音量中で、前記振動検知回数が２回のとき前記音量中より低い音量小で前記スピーカーを鳴動し、前記振動検知回数が３回のとき前記スピーカーの鳴音を無音とすることを特徴とする請求項２乃至４のいずれか１項に記載の携帯電話機の振動検知による鳴動音量制御方式。
【請求項８】
着呼時にスピーカーを鳴動して着信報知する携帯電話機において、前記携帯電話機をバックの内部に収容した状態で前記携帯電話機に着呼したときタイマーを起動すると共に振動検知機能の設定の有無を判定し前記振動検知機能の設定がないとき前記携帯電話機に設定されている初期値の鳴音レベルで前記スピーカーを鳴動し着信報知する第１のステップと、
ユーザが前記バックの外部から所定の振動を加える度に振動を検知する第２のステップと、
第２のステップで前記振動を検知できなかったとき第１のステップにおける鳴音レベルで前記スピーカーの鳴動を継続し、前記振動を検知できたとき検知した前記振動レベルの大きさを判定するための基準値の設定の有無を判定し、前記基準値の設定がなかったとき第１のステップにおける鳴音レベルで前記スピーカーの鳴動を継続し、前記基準値の設定があったとき前記振動レベルと前記基準値とを比較し、前記振動レベルが前記基準値より大きかったとき振動検知信号を出力する第３のステップと、
前記振動検知信号が出力される度に振動検知回数を計数し加算する第４のステップと、
第４のステップで加算した前記振動検知回数が回数制限値３以下か否かを判定する第５のステップと、
前記振動検知回数が前記回数制限値以下で且つ前記振動検知回数の加算値が１であるとき前記振動検知回数１に対応する第１のステップにおける鳴音レベルより低い鳴音制御レベルの設定の有無を判定し、前記鳴音制御レベルの設定がなかったとき第１のステップにおける鳴音レベルで前記スピーカーの鳴動を継続し、前記鳴音制御レベルの設定があったとき第１のステップにおける鳴音レベルより低い鳴音制御レベルで前記スピーカーを鳴動する第６のステップと、
前記振動検知回数が前記回数制限値以下で且つ前記振動検知回数の加算値が２であるとき前記振動検知回数２に対応する第６のステップにおける鳴音レベルより更に低い鳴音制御レベルの設定の有無を判定し、前記鳴音制御レベルの設定がなかったとき第６のステップにおける鳴音レベルで前記スピーカーの鳴動を継続し、前記鳴音制御レベルの設定があったとき第６のステップにおける鳴音レベルより更に低い鳴音制御レベルで前記スピーカーを鳴動する第７のステップと、
前記振動検知回数が前記回数制限値以下で且つ前記振動検知回数の加算値が３であるとき前記振動検知回数３に対応する第７のステップにおける鳴音レベルより更に低い鳴音制御レベルの設定の有無を判定し、前記鳴音制御レベルの設定がなかったとき第７のステップにおける鳴音レベルで前記スピーカーの鳴動を継続し、前記鳴音制御レベルの設定があったとき前記スピーカーの鳴動を無音にする第８のステップと、
第５のステップにおいて前記振動検知回数が回数制限値３を超えるとき、および第８のステップにおいて前記振動検知回数の加算値が３を超えるとき前記信号検知機能を停止、前記振動検知回数の加算値をクリア、前記タイマーをリセットすると共に鳴動音量制御機能を停止し、また前記タイマーがタイムアウト前にユーザの応答操作を検知したとき第１のステップへ移行する第９のステップとを有することを特徴とする携帯電話機の振動検知による鳴動音量制御方法。
【請求項９】
着呼時にスピーカーを鳴動して着信報知する携帯電話機において、前記携帯電話機をバックの内部に収容した状態で前記携帯電話機に着呼したときタイマーを起動すると共に振動検知機能の設定の有無を判定し前記振動検知機能の設定がないとき前記携帯電話機に設定されている初期値の鳴音レベルで前記スピーカーを鳴動し着信報知する第１のステップと、
ユーザが前記バックの外部から所定の振動を加える度に振動を検知する第２のステップと、
第２のステップで前記振動を検知できなかったとき第１のステップにおける鳴音レベルで前記スピーカーの鳴動を継続し、前記振動を検知できたとき検知した前記振動レベルの大きさを判定するための基準値の設定の有無を判定し、前記基準値の設定がなかったとき第１のステップにおける鳴音レベルで前記スピーカーの鳴動を継続し、前記基準値の設定があったとき前記振動レベルと前記基準値とを比較し、前記振動レベルが前記基準値より大きかったとき振動検知信号を出力する第３のステップと、
前記振動検知信号が出力されたとき第１のステップにおける鳴音レベルより低い鳴音制御レベルの設定の有無を判定し、前記鳴音制御レベルの設定が無かったとき第１のステップにおける鳴音レベルで前記スピーカーの鳴動を継続し、前記鳴音制御レベルの設定があったとき第１のステップにおける鳴音レベルより低い鳴音制御レベル前記スピーカーを鳴動するか、または前記スピーカーの鳴動を無音にする第４のステップと、
前記タイマーを監視しタイムアウトを検知したとき、および前記タイマーがタイムアウト前にユーザの応答操作を検知したとき鳴動音量制御機能を停止し第１のステップへ移行する第５のステップとを有することを特徴とする携帯電話機の振動検知による鳴動音量制御方法。
【発明の詳細な説明】
【０００１】
【発明の属する技術分野】
本発明は、バック内に収容された携帯電話機に着呼した際、バックの外部から加わる振動を検知し、検知した回数に応じてスピーカーの鳴音レベルを順次減少制御する携帯電話機の振動検知による鳴動音量制御方式とその方法に関する。
【０００２】
【従来の技術】
従来の携帯電話機は、着信報知方法としてスピーカーによる鳴動報知、バイブレータによる振動報知、表示部の点滅による点滅報知等があるが、昨今は着信メロディーサービスの普及により、色々なメロディーによる着信報知を使用するユーザが多い。
【０００３】
また、昨今の携帯電話機は、小型・軽薄になったにも関わらず身につけずに、カバンやバックの中に入れたまま携帯する場合が多く、特に騒音の大きい車内や街中でも着信報知を認識可能なように、鳴動音量は比較的高く設定される。
【０００４】
そのため、鳴音音量が高く設定された携帯電話機をカバンやバックの内部に収容した携帯状態において着呼した場合、大きな音量で鳴動が漏れ、音量を小さくすべく携帯電話機をカバンやバックから外部へ取り出すと更に音量が大きくなり、車内，劇場、映画館、コンサートホール等公共の場においては、周囲の人に多大な迷惑を掛けることになる。
【０００５】
従って、携帯電話機の着信報知のためのスピーカーの鳴動音量が最大限に設定されたままで着呼があっても、着信呼の強制切断により鳴動停止をすることなく、携帯電話機をカバンやバックの内部に収容した状態のまま、周囲に迷惑の掛けない音量（小音量、無音）に素早く制御する方法が望まれる。
【０００６】
カバンやバックの内部に収容された携帯電話機に着信した際に、周囲の人に迷惑、不快感を与えることなく迅速に着信報知音量を制御する技術が提案されている。
【０００７】
着信時、光センサにより携帯電話機の周囲の明るさを検出し、予め設定されている基準値より明るいとき、あるいは音響センサ（マイクロホン）により携帯電話機の周囲の音量（自然雑音）を検出し予め設定されている基準値より大きいとき携帯電話機がカバンやバックの内部に収容されていないと判定して通常の音量、音色でスピーカーを鳴動し、周囲の明るさが基準値より暗いとき、あるいは自然雑音が基準値より小さいときも通常の音量、音色でスピーカーを鳴動し、且つ音響センサにより検出した信号に呼出音の反響音が基準値以上含まれている場合、あるいは低域成分のみの呼出音が含まれているとき携帯電話機がカバンやバック内に収容されていると判定して呼出音の低域成分を増加させ周囲の人に不快感を与えない周波数成分の呼出音でスピーカーを鳴動し、スピーカーが鳴動中に光センサの検出信号に変化があったとき携帯電話機がカバンやバックから外部に取り出されたと判定し呼出音の総音量を減少させる技術が、例えば特許第３１３８６６６号公報に開示されている（第１の従来技術）。
【０００８】
振動センサにより検出した携帯電話機に加わる振動の方向や回数を基に、テンキー、アップ・ダウンキー、ジョグダイヤル等を操作することなく、登録されている電話帳から通話相手の氏名、電話番号を検索し、発呼する技術が、例えば
特開２００１−１５６９０２号公報に開示されている（第２の従来技術）。
【０００９】
複数の衝撃パターン個々に対応して携帯電話機の特定の機能（バックライトの点滅制御、スタンバイ状態から駆動状態への電源投入制御、入力電話番号への発信制御、ダイヤルロック設定、解除）を登録しておき、携帯電話機に加えられる物理的衝撃を衝撃センサで検出した衝撃パターンと登録されている衝撃パターンと照合して検出した衝撃パターンを識別し対応する機能を制御する技術が、例えば特開２００１−１５６９０３号公報に開示されている（第３の従来技術）。
【００１０】
周囲の音をモニタする専用マイクを備え、着信時（鳴動時）に専用マイクを動作させその出力信号の増加量を計算し、所定のしきい値を超えたとき携帯電話機をカバンやバックから取り出したと判定して着信音量を減少し、あるいは着信時（鳴動時）に非鳴動期間のみ専用マイクを動作させその出力信号の増加量を計算し、所定のしきい値を超えたとき携帯電話機をカバンやバックから取り出したと判定して着信音量を減少し、更に、光センサが周囲の明るさの変化を検出したときユーザが携帯電話機をカバンやバックの外部に取り出したとを判定し、圧力センサが携帯電話機筐体表面の圧力変化を検出したときユーザが携帯電話機を把持したとを判定し、赤外線センサが携帯電話機筐体表面の温度変化を検出したときユーザが携帯電話機を把持したとを判定し、加速度センサが携帯電話機の振動を検出したときユーザが携帯電話機を把持したと判定し、それぞれ着信音量を減少する技術が、例えば特開２０００−２９５３１８号公報に開示されている（第４の従来技術）。
【００１１】
携帯電話機の発音体（スピーカー、サウンダ）の振動部に加わる音圧により変化する発音体の駆動電流を検出し、所定のしきい値（バック外における発音体の電圧値）と比較し、差異があるとき携帯電話機がバック内に収容されていると判定して発音体の駆動電流を増加し着信音量を大きく、差異がないとき携帯電話機がバックの外部に取り出されていると判定して発音体の駆動電流を減少し着信音量を小さくする技術が、例えば特開平１０−１３４１９０号公報に開示されている（第５の従来技術）。
【００１２】
【発明が解決しようとする課題】
上述したように第１の従来技術は、携帯電話機がカバンやバックの内部に収容されているか否かを周囲光を検出する光センサと、周囲の音量（自然雑音および呼出音の反響音）を検出する音響センサ（専用マイクロホン）の検出情報に基づき携帯電話機がバック内かバック外かを判定し、バック外のとき通常の音量、音色で発音体を鳴動し、バック内のとき呼出音の低域成分を増加させ、周囲の人に不快感を与えない周波数成分の呼出音を出力しスピーカーを鳴動し、スピーカーが鳴動中に光センサの検出信号に変化があったとき携帯電話機がバック外に取り出されたと判定し呼出音の総音量を減少させるものであり、着信音量を減少させるためには、携帯電話機をバック内から取り出さなければならず面倒である。
【００１３】
また、携帯電話機が通常具備する会話音声を集音するマイクロホン以外に専用のマイクロホンが必要であり、携帯電話機の小型化、低価格化を阻害する。
【００１４】
また、第２の従来技術は、振動センサにより検出した携帯電話機に加わる振動の方向や回数を基に、テンキー、アップ・ダウンキー、ジョグダイヤル等を操作することなく、登録されている電話帳から通話相手の氏名、電話番号を検索し、発呼するものであり、所望する氏名、電話番号を選択するための物理的衝撃を正確に携帯電話機に加える操作が面倒である。
【００１５】
また、携帯電話機に加わる衝撃をセンサにより検出するものの、周囲の人に迷惑を掛けないために着信報知音量を振動検出により制御する着信音量制御を示唆する記載はない。
【００１６】
また、第３の従来技術は、携帯電話機に加えられる物理的衝撃を衝撃センサで検出して衝撃パターンを識別し、対応する携帯電話機の特定の機能（バックライトの点滅制御、スタンバイ状態から駆動状態への電源投入制御、入力電話番号への発信制御、ダイヤルロック設定、解除）を制御するものであり、個々の機能を選択するための物理的衝撃を正確に携帯電話機に加える操作が面倒であり、所望する衝撃パターンの識別が困難である。
【００１７】
また、携帯電話機に加わる衝撃をセンサにより検出するものの、周囲の人に迷惑を掛けないために着信音量を振動検出により制御する着信音量制御を示唆する記載はない。
【００１８】
また、第４の従来技術は、着信鳴動時に周囲の音量を検出する専用マイクを動作させその出力信号の増加量、あるいは着信鳴動時に非鳴動期間のみ専用マイクを動作させその出力信号の増加量、更に光センサが検出した周囲の明るさの変化量、圧力センサが検出した携帯電話機筐体表面の圧力変化量、赤外線センサが検出した携帯電話機筐体表面の温度変化量、加速度センサが携帯電話機の振動等に基づき、携帯電話機がバック内かバック外かを判定し、バック外のとき着信音量を減少するものであり、着信音量を減少させるためには携帯電話機をバックから取り出さなければならず面倒である。
【００１９】
また、携帯電話機が通常具備する会話音声を集音するマイクロホン以外に専用のマイクロホンおよび各種センサが必要であり、携帯電話機の小型化、低価格化を阻害する。
【００２０】
また、第５の従来技術は、携帯電話機の発音体（スピーカー、サウンダ）の振動部に加わる音圧により変化する発音体の駆動電流値を基に、携帯電話機がバック内かバック外かを判定し、バック内のとき駆動電流を増加し着信音量を大きく、バック外のとき駆動電流を減少し着信音量を小さくするものであり、着信音量を減少させるためには携帯電話機をバックから取り出さなければならず面倒である。
【００２１】
本発明の目的は、カバンやバックの内部に収容された携帯電話機に着呼した際に、カバンやバックに振動を加えることにより、周囲の人に迷惑，不快感を与えることなく迅速にスピーカーの鳴動音量を減少するよう制御することができる携帯電話機の振動検知による鳴動音量制御方式とその方法を提供することにある。
【００２２】
【課題を解決するための手段】
本発明の携帯電話機の振動検知による鳴動音量制御方式は、着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から加える所定の振動を検知し、前記スピーカーの鳴動音量を減少するよう制御する音量制御機能を有することを特徴とする。
【００２３】
また、着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知してその振動検知回数を順次計数し、前記振動検知回数に応じて前記スピーカーの鳴動音量を順次減少するよう制御する音量制御機能を有することを特徴とする。
【００２４】
また、着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知する振動検知機能と、前記振動検知機能が検知した検知信号レベルと予め設定された振動感度である加速度レベルの基準値とを比較し前記検知信号レベルが前記基準値を超えたときその振動検知回数を順次計数する振動検知回数計数機能と、前記振動検知回数計数機能が計数した前記振動検知回数に応じて前記スピーカーの鳴動音量を順次減少するよう制御する音量制御機能を有することを特徴とする。
【００２５】
また、着呼時にスピーカーを鳴動して着信報知する携帯電話機において、前記携帯電話機をバックの内部に収容した状態で前記携帯電話機に着呼し前記スピーカーが鳴動したとき、ユーザが前記バックの外部から所定の振動を加える度に振動を検知する振動検知部と、振動感度である加速度レベルの基準値を予め格納しておく振動加速度レベル保持部と、前記振動検知部が検知した検知信号レベルと前記振動加速度レベル保持部に格納されている前記基準値とを比較し検知信号レベルが前記基準値を超えたとき振動検知回数１を出力する振動データ比較制御部と、前記振動データ比較制御部が出力する前記振動検知回数を計数する振動検知回数制御部と、前記スピーカーの鳴動制御レベルを前記振動検知回数に対応して予め格納しておく音量レベル保持部と、前記振動検知回数制御部が計数した前記振動検知回数に対応する前記鳴動制御レベルを前記音量レベル保持部から読み出し前記携帯電話機の共通制御部へ転送する音量制御部とから成る音量制御機能とを有し、前記共通制御部が転送された前記鳴音制御レベルに応じて前記スピーカーを鳴動することを特徴とする。
【００２６】
また、ユーザがバックの外部から加える所定の振動の検知は、加速度センサにより検知することを特徴とする。
【００２７】
また、前記振動検知回数制御部が計数する前記振動検知回数は最大３回とし、前記振動検知回数が３回を超えるときは鳴動音量制御を停止し待機状態とすることを特徴とする。
【００２８】
また、前記スピーカーの鳴動音量は、着呼時は前記携帯電話機の初期値設定レベルである音量大で、前記振動検知回数が１回のとき前記初期値設定レベルより低い音量中で、前記振動検知回数が２回のとき前記音量中より低い音量小で前記スピーカーを鳴動し、前記振動検知回数が３回のとき前記スピーカーの鳴音を無音とすることを特徴とする請求項２乃至４のいずれか１項に記載の携帯電話機の振動検知による鳴動音量制御方式。
【００２９】
本発明の携帯電話機の振動検知による鳴動音量制御方法は、着呼時にスピーカーを鳴動して着信報知する携帯電話機において、前記携帯電話機をバックの内部に収容した状態で前記携帯電話機に着呼したときタイマーを起動すると共に振動検知機能の設定の有無を判定し前記振動検知機能の設定がないとき前記携帯電話機に設定されている初期値の鳴音レベルで前記スピーカーを鳴動し着信報知する第１のステップと、
ユーザが前記バックの外部から所定の振動を加える度に振動を検知する第２のステップと、
第２のステップで前記振動を検知できなかったとき第１のステップにおける鳴音レベルで前記スピーカーの鳴動を継続し、前記振動を検知できたとき検知した前記振動レベルの大きさを判定するための基準値の設定の有無を判定し、前記基準値の設定がなかったとき第１のステップにおける鳴音レベルで前記スピーカーの鳴動を継続し、前記基準値の設定があったとき前記振動レベルと前記基準値とを比較し、前記振動レベルが前記基準値より大きかったとき振動検知信号を出力する第３のステップと、
前記振動検知信号が出力される度に振動検知回数を計数し加算する第４のステップと、
第４のステップで加算した前記振動検知回数が回数制限値３以下か否かを判定する第５のステップと、
前記振動検知回数が前記回数制限値以下で且つ前記振動検知回数の加算値が１であるとき前記振動検知回数１に対応する第１のステップにおける鳴音レベルより低い鳴音制御レベルの設定の有無を判定し、前記鳴音制御レベルの設定がなかったとき第１のステップにおける鳴音レベルで前記スピーカーの鳴動を継続し、前記鳴音制御レベルの設定があったとき第１のステップにおける鳴音レベルより低い鳴音制御レベルで前記スピーカーを鳴動する第６のステップと、
前記振動検知回数が前記回数制限値以下で且つ前記振動検知回数の加算値が２であるとき前記振動検知回数２に対応する第６のステップにおける鳴音レベルより更に低い鳴音制御レベルの設定の有無を判定し、前記鳴音制御レベルの設定がなかったとき第６のステップにおける鳴音レベルで前記スピーカーの鳴動を継続し、前記鳴音制御レベルの設定があったとき第６のステップにおける鳴音レベルより更に低い鳴音制御レベルで前記スピーカーを鳴動する第７のステップと、
前記振動検知回数が前記回数制限値以下で且つ前記振動検知回数の加算値が３であるとき前記振動検知回数３に対応する第７のステップにおける鳴音レベルより更に低い鳴音制御レベルの設定の有無を判定し、前記鳴音制御レベルの設定がなかったとき第７のステップにおける鳴音レベルで前記スピーカーの鳴動を継続し、前記鳴音制御レベルの設定があったとき前記スピーカーの鳴動を無音にする第８のステップと、
第５のステップにおいて前記振動検知回数が回数制限値３を超えるとき、および第８のステップにおいて前記振動検知回数の加算値が３を超えるとき前記信号検知機能を停止、前記振動検知回数の加算値をクリア、前記タイマーをリセットすると共に鳴音制御機能を停止し、また前記タイマーがタイムアウト前にユーザの応答操作を検知したとき第１のステップへ移行する第９のステップとを有することを特徴とする。
【００３０】
また、着呼時にスピーカーを鳴動して着信報知する携帯電話機において、前記携帯電話機をバックの内部に収容した状態で前記携帯電話機に着呼したときタイマーを起動すると共に振動検知機能の設定の有無を判定し前記振動検知機能の設定がないとき前記携帯電話機に設定されている初期値の鳴音レベルで前記スピーカーを鳴動し着信報知する第１のステップと、
ユーザが前記バックの外部から所定の振動を加える度に振動を検知する第２のステップと、
第２のステップで前記振動を検知できなかったとき第１のステップにおける鳴音レベルで前記スピーカーの鳴動を継続し、前記振動を検知できたとき検知した前記振動レベルの大きさを判定するための基準値の設定の有無を判定し、前記基準値の設定がなかったとき第１のステップにおける鳴音レベルで前記スピーカーの鳴動を継続し、前記基準値の設定があったとき前記振動レベルと前記基準値とを比較し、前記振動レベルが前記基準値より大きかったとき振動検知信号を出力する第３のステップと、
前記振動検知信号が出力されたとき第１のステップにおける鳴音レベルより低い鳴音制御レベルの設定の有無を判定し、前記鳴音制御レベルの設定が無かったとき第１のステップにおける鳴音レベルで前記スピーカーの鳴動を継続し、前記鳴音制御レベルの設定があったとき第１のステップにおける鳴音レベルより低い鳴音制御レベル前記スピーカーを鳴動するか、または前記スピーカーの鳴動を無音にする第４のステップと、
前記タイマーを監視しタイムアウトを検知したとき、および前記タイマーがタイムアウト前にユーザの応答操作を検知したとき鳴音制御機能を停止し第１のステップへ移行する第５のステップとを有することを特徴とする。
【００３１】
【発明の実施の形態】
本発明の実施の形態について図面を参照して説明する。
【００３２】
図１は本発明の携帯電話機の主要構成を示すブロック図、図２は予め設定しておく各種基準値および機能の登録方法を説明するための図、図３は着呼時から通話開始までの鳴動音量制御を説明するための図、図４は第１の実施の形態における呼出音量制御処理のフローチャート、図５は第２の実施の形態における呼出音量制御処理のフローチャートである。
【００３３】
最初に図を参照し第１の実施の形態について説明する。
【００３４】
本発明の携帯電話機１は、図１に示すように、音量制御機能部２と、空中線部３と、表示部４と、キー入力部５と、スピーカー部６と、マイク部７と、タイマー部８と、通信部９と、共通制御部１０と、メモリ部１１とから構成されている。
【００３５】
音量制御機能部２は、携帯電話機筐体に加えられる振動を検知しデジタル信号に変換して振動データを生成する振動検知部２１と、振動の有無を判定するための振動感度である加速度レベルの基準値（しきい値）を予め登録しておく振動加速度レベル保持部２３と、振動検知回数に対応して鳴音制御レベルを登録しておく音量レベル保持部２５と、振動検知部２１が出力する振動データと振動加速度レベル保持部２３に登録されている基準値と比較し振動データが基準値より大きいとき振動有りを判定し、振動検知信号を出力する振動データ比較制御部２２と、振動データ比較制御部２２が振動検知信号を出力するたびに振動検知回数をカウントアップし、その計数値が音量レベル保持部２５に登録されている回数制限値（ここでは３回）に達したか否かを識別し、回数制限値を超えたとき振動検知部２１に対し振動検知停止を指示し、回数制限値以下のとき振動検知回数を出力する振動検知回数制御部２６と、振動検知回数制御部２６が振動検知回数を出力するたびに、その振動検知回数に対応する鳴音制御レベルを音量レベル保持部２５から読み出しバス２７を介して共通制御部１０へ転送する音量制御部２４とから構成している。
【００３６】
なお、共通制御部１０配下の空中線部３、表示部４、キー入力部５、スピーカー部６、マイク部７、タイマー部８、通信部９、メモリ部１１は従来の携帯電話機と同一機能であるため詳細な説明は省略する。
【００３７】
次に図２に図１を併せて参照して鳴動音量制御に係わる初期設定について説明する。
【００３８】
振動の有無を判定するための加速度レベルの基準値（振動感度）の振動加速度レベル保持部２３への設定は、キー入力部５の所定のキー操作により行う。キー操作情報は共通制御部１０からバス２７を介して振動加速度レベル保持部２３へ登録される。
【００３９】
図２によれば、Ｆ５０の操作で振動感度大（例えば１０ｄＢ）、Ｆ５１の操作で振動感度中（例えば２０ｄＢ）、Ｆ５２の操作で振動感度小（例えば３０ｄＢ）を設定する。ここでは携帯電話機筐体を把持して手首のスナップで上下、または左右に動かした振動が検知できる程度の振動感度中（２０ｄＢ）を基準値として登録する。
【００４０】
振動検知回数に対応する鳴音制御レベルの音量レベル保持部２５への設定は、キー入力部５の所定のキー操作により行う。キー操作情報は共通制御部１０からバス２７を介して音量レベル保持部２５へ登録される。ここでは振動検知回数１、２、３にそれぞれ対応する鳴音制御レベルを中音量、小音量、無音の３パターンとする。
【００４１】
図２によれば、Ｆ７１２の操作で振動検知回数１回と鳴音制御レベル２（音量中）、Ｆ７２１の操作で振動検知回数２回と鳴音制御レベル１（音量小）、Ｆ７３０の操作で振動検知回数３回と鳴音制御レベル０（無音）を設定する。
【００４２】
振動検知機能の有効・無効（ＯＮ・ＯＦＦ）の振動検知部２１への設定は、キー入力部５の所定のキー操作により行う。キー操作情報は共通制御部１０からバス２７を介して振動検知部２１へ登録される。
【００４３】
図２によれば、Ｆ３０の操作で振動検知機能ＯＮ、Ｆ３１の操作で振動検知機能ＯＦＦを登録する。ここでは振動検知機能ＯＮとする。
【００４４】
次に図１に図２、３を併せて参照し、第１の実施の形態の動作について説明する。
【００４５】
携帯電話機１に着信呼が空中線部３を介して着信すると従来と同様に携帯電話機に設定されている音量大（初期値）でスピーカー部６が鳴動して着信報知する。振動検知部２１が振動検知可能状態（振動検知機能ＯＮ）であるため、携帯電話機１の筐体に振動が加わると、振動検知部２１がその振動を検知し、振動データ比較制御部２２がその検知された振動データを振動加速度レベル保持部２３に予め登録した振動の有無を判定するための加速度レベルの基準値（振動感度）と比較し、基準値以上であると判定すると、振動検知回数制御部２６がその振動データを振動検知１回とカウントし、音量制御部２４がその振動検知回数毎に異なる鳴音制御レベルを音量レベル保持部２５から読み出し、バス２７を介して共通制御部１０に送信し、共通制御部１０がスピーカー部６の鳴動音量を減少するよう制御する。
【００４６】
次に図４に図１、２、３を併せて参照し第１の実施の形態の呼出音量制御処理について詳細に説明する。
【００４７】
バックの内部に収容された携帯電話機１の中央制御部１０は空中線部３を介して到来した着信呼を検知すると（図４のステップＳ１０１）、振動検知部２１の振動検知機能の設定（スイッチＯＮ）の有無を判定する（Ｓ１０２）と共にタイマー部８を起動する（Ｓ１０３）。
【００４８】
ステップＳ１０２における判定が振動検知機能の設定無し（スイッチＯＦＦ）のときはステップＳ１１２へ移行し通常の鳴音レベル（初期値）でスピーカー部６を鳴動させ着信報知する。
【００４９】
ステップＳ１０２における判定が振動検知機能の設定有り（スイッチＯＮ）のときは振動発生を待機する。
【００５０】
ユーザが着信報知を認識し着信報知音量を小さくすべく、バックに外部から振動を加えると（Ｓ１０４）、振動検知部２１の振動センサ（図示せず）が振動を検知する（Ｓ１０５）。
【００５１】
ステップＳ１０５において振動検知部２１が振動を検知できなかったときは、ステップＳ１１２へ移行し通常の鳴音レベル（初期値）でスピーカー部６を継続して鳴動させる。
【００５２】
振動検知部２１は、ステップＳ１０５において振動を検知できたときはその検知信号レベルをデジタル信号に変換して振動データを生成し振動データ比較制御部２２へ送出する。
【００５３】
振動データ比較制御部２２は、振動検知部２１から振動データを受け取ると、振動加速度レベル保持部２３を検索し、振動感度である加速度レベルの基準値（以下基準値と称す）の設定の有無を判定し（Ｓ１０６）、設定無しのときはステップＳ１１２へ移行し通常の鳴音レベル（初期値）でスピーカー部６を継続して鳴動させる。
【００５４】
振動加速度レベル保持部２３に基準値の設定有りのときは、振動検知部２１から受け取った振動データと基準値とを比較し、振動データが基準値より大きいとき振動検知信号を振動検知回数制御部２６へ送出する（Ｓ１０７）。
【００５５】
振動検知回数制御部２６は、振動データ比較制御部２２から振動検知信号を受け取ると、検知回数をカウントアップし（Ｓ１０８）、カウントアップした検知回数が音量レベル保持部２５に設定されている回数制限値（ここでは３回）以下か否かを判定し（Ｓ１０９）、制限回数以上のときステップＳ１２４へ移行し鳴動音量制御機能（振動検知停止、タイマリセット、検知回数カウンタリセット）し、回数数制限以下のときはそのカウント値を音量制御部２４へ送出する。
【００５６】
音量制御部２４は振動検知回数制御部２６から受け取った検知回数が１回か否かを判定し（Ｓ１１０）、１回でないときはステップＳ１１３へ移行し、１回のときは、音量レベル保持部２５を検索し検知回数１回に対応する鳴音制御レベルの設定の有無を判定する（Ｓ１１１）。
【００５７】
ステップＳ１１１における判定が鳴音制御レベル設定無しのときは、ステップＳ１１２へ移行し通常の鳴音レベル（初期値）でスピーカー部６を継続して鳴動させ、鳴音制御レベル設定有りのときは、バス２７を介して共通制御部１０へ鳴音制御情報（鳴音レベル音量中）を送出し、共通制御部１０はスピーカー部６の鳴音レベルを初期値の音量大から音量中のレベルに下げて鳴動する（Ｓ１１５）。
【００５８】
音量制御部２４は、振動検知回数制御部２６から受け取った検知回数が１回でないとき（Ｓ１１０）検知回数が２回か否かを判定し（Ｓ１１３）、２回でないときはステップＳ１１６へ移行し、２回のとき音量レベル保持部２５を検索し検知回数２回に対応する鳴音制御レベルに設定の有無を判定する（Ｓ１１４）。
【００５９】
ステップＳ１１４における判定が鳴音制御レベル設定無しのときは、ステップＳ１１５へ移行し、検知回数１回のときの鳴音レベルである音量中のままスピーカー部６を継続して鳴動させる（Ｓ１１５）。
【００６０】
すなわち、音量制御部２４は、鳴音制御レベルの設定がないときは共通制御部１０へは鳴音制御情報を送出しないので、共通制御部１０は検知回数１回のときの鳴音レベルである音量中でスピーカー部６を鳴動させることになる。
【００６１】
ステップＳ１１４における判定が鳴音制御レベル設定有りのときは、バス２７を介して共通制御部１０へ鳴音制御情報（鳴音レベル小音量）を送出し、共通制御部１０はスピーカー部６の鳴動レベルを中音量から小音量のレベルに下げて鳴動する（Ｓ１１８）。
【００６２】
音量制御部２４は、振動検知回数制御部２６から受け取った検知回数が２回でないとき（Ｓ１１３）３回か否かを判定し（Ｓ１１６）、３回のときは音量レベル保持部２５を検索し検知回数３回に対応する鳴音制御レベルの設定の有無を判定する（Ｓ１１７）。
【００６３】
ステップＳ１１７における判定が鳴音制御レベル設定無しのときは、ステップＳ１１８へ移行し検知回数２回のときの鳴音レベルである小音量のままスピーカー部６を継続して鳴動させる（Ｓ１１８）。
【００６４】
ステップＳ１１７における判定が鳴音制御レベル設定有りのときは、バス２７を介して共通制御部１０へ鳴音制御レベル０（無音）を送出し、共通制御部１０はスピーカー部６の鳴音レベルを小音量から無音に下げる（Ｓ１１９）。
【００６５】
ステップＳ１１６における判定が３回を超えるときは、ステップＳ１２４へ移行し鳴動音量制御機能を停止（Ｓ１２４）した後、ステップＳ１０２へ移行し待機状態となる。
【００６６】
共通制御部１０は、ステップＳ１０３において起動したタイマー部８のタイムアウトを監視し、ステップＳ１１２、Ｓ１１５、Ｓ１１８、Ｓ１１９でスピーカー部６が鳴動中（応答前）にタイマー部８のタイムアウトを検知すると（Ｓ１２０）、ステップＳ１２４へ移行し鳴動音量制御機能（振動検知停止、タイマー部リセット、検知回数カウンタリセットを含む）を停止する（Ｓ１２４）。
【００６７】
タイマー部６がタイムアウトする前に応答を検知すると（Ｓ１２１）通話が開始され（Ｓ１２２）、同時に鳴動音量制御機能を停止し（Ｓ１２４）、通話終了を検知すると（Ｓ１２３）、鳴動音量制御処理を終了する。
【００６８】
図３はこのような着呼時から通話開始までの鳴動音量制御を図示したものであり、着呼時は大音量の鳴音レベル（初期値）でスピーカー部６を鳴動させ、ユーザによる外部振動を１回検知すると鳴音レベルを中音量のレベルに下げ、振動を２回検知すると鳴動レベルを小音量のレベルに下げ、更に３回検知すると無音にする。
【００６９】
したがって、着呼時から振動を３回検知するまでの期間がスピーカーの鳴動期間であるが、振動を検知する度に鳴動音量が順次減少するので、周囲に迷惑を掛けることが少なくなる。
【００７０】
そのため、ユーザは着呼時の鳴音報知後、バックの外部から短時間に複数回の振動を加えることにより、音量大（初期値）から無音までの鳴動期間を短縮することができる。
【００７１】
無音に成った後に周囲に迷惑を掛けない場所に移動し、所定の応答操作により通話することができる。
【００７２】
このように、バック内に収容された状態で着信した場合、わざわざバックから携帯電話機を取り出すことなく、容易に着信報知の鳴音音量を下げることができる。
【００７３】
次に図５に図１、３を併せて参照し第２の実施の形態の動作について説明する。なお、加速度レベルの基準値（振動感度）、鳴動制御レベル、および振動検知機能の設定は、第１の実施の形態と同様とする。
【００７４】
バックの内部に収容された携帯電話機１の共通制御装置１０は空中線部３を介して到来した着信呼を検知すると、（図５のステップＳ２０１）、振動検知部２１の振動検知機能の設定の有無を判定する（Ｓ２０２）と共にタイマー部８を起動する（Ｓ２０３）。
【００７５】
ステップＳ２０２における判定が振動検知機能の設定無し（スイッチＯＦＦ）のときはステップＳ２０９へ移行し通常の鳴音レベル（初期値）でスピーカー部６を鳴動させ着信報知する。
【００７６】
ステップＳ２０２における判定が振動検知機能の設定有り（スイッチＯＮ）のときは振動発生を待機する。
【００７７】
ユーザが着信報知を認識し着信報知音量を小さくすべく、バックに外部から振動を加えると（Ｓ２０４）、振動検知部２１の振動センサ（図示せず）が振動を検知する（Ｓ２０５）。
【００７８】
ステップＳ２０５において振動検知部２１が振動を検知できなかったときは、ステップＳ２０９へ移行し通常の鳴音レベル（初期値）でスピーカー部６を継続して鳴動させる。
【００７９】
振動検知部２１は、ステップＳ２０５において振動を検知できたときはその検知信号レベルをデジタル信号に変換して振動データを生成し振動データ比較制御部２２へ送出する。
【００８０】
振動データ比較制御部２２は、振動検知部２１から振動データを受け取ると、振動加速度レベル保持部２３を検索し、振動感度である加速度レベルの基準値（以下基準値と称す）の設定の有無を判定し（Ｓ２０６）、設定無しのときはステップＳ２０９へ移行し通常の鳴音レベル（初期値）でスピーカー部６を継続して鳴動させる。
【００８１】
振動加速度レベル保持部２３に基準値の設定有りのときは、振動検知部２１から受け取った振動データと基準値とを比較し、振動データが基準値より大きいとき振動検知信号を振動検知回数制御部２６へ送出する（Ｓ２０７）。
【００８２】
振動検知回数制御部２６は、振動データ比較制御部２２から振動検知信号を受け取ると音量制御部２４へ音量制御を指示する。
【００８３】
音量制御部２４は、音量レベル保持部２５を検索し鳴音制御レベルの設定の有無を判定する（Ｓ２０８）。
【００８４】
ステップＳ２０８における判定が鳴音制御レベル設定無しのときは、ステップＳ２０９へ移行し、通常の鳴音レベル大（初期値）でスピーカー部６を継続して鳴動させ、鳴音制御レベル設定有りのときは、バス２７を介して共通制御部１０へ鳴音制御情報（鳴音レベル小音量または鳴音レベル０）を送出し、共通制御部１０はスピーカー部６の鳴動レベルを音量大から音量小または無音に下げて鳴動する（Ｓ２１０）。
【００８５】
共通制御部１０は、ステップＳ２０３において起動したタイマー部８のタイムアウトを監視し、ステップＳ２０９、Ｓ２１０でスピーカー部６が鳴動中（応答前）にタイマー部８のタイムアウトを検知すると（Ｓ２１１）、ステップＳ２１５へ移行し鳴動音量制御機能（振動検知停止、タイマー部リセットを含む）を停止する（Ｓ２１５）。
【００８６】
タイマー部８がタイムアウトする前に応答を検知すると（Ｓ２１２）、通話が開始され（Ｓ２１３）、同時に鳴動音量制御機能を停止し（Ｓ２１５）、通話が終了すると（Ｓ２１４）鳴動音量制御処理を終了する。
【００８７】
このように、着呼時は初期値（音量大）でスピーカー部６を鳴動させ、ユーザによる外部振動を１回検知すると直ちに鳴音レベルを小音量または無音に下げるので、着呼時の鳴動報知後、音量大（初期値）から音量小または無音になるまでの鳴動期間が更に短縮される。
【００８８】
なお、上記第１および第２の実施の形態の説明では、携帯電話機の着信報知手段がスピーカーによる鳴動報知に設定されている状態にあるものとして説明したが、バイブレーションによる振動報知に設定されている場合、連続的な振動と間欠的な振動との相違を考慮して、振動検知回路を設計することにより、バイブレーションによる振動報知を誤って検知することを防止することができる。
【００８９】
【発明の効果】
以上説明したように本発明の振動検知による鳴動音量制御方式とその方法の第１の発明は、携帯電話機をバックの内部に収容した状態で着呼し着信報知を認識したとき、ユーザがバックの外部から間欠的に加える（バックを揺する）振動を順次検知し、その振動検知回数をカウントし、カウントした振動回数に対応して順次スピーカーの鳴音レベルを着呼時の鳴音レベルに対し減少し、周囲の人に迷惑を掛けない鳴音レベルに制御することができる。
【００９０】
その際、ユーザは携帯電話機に触れることなく、またバックから携帯電話機を取り出すことなく鳴音レベルを減少させるとができ、煩わしさがなくなる。
【００９１】
また、着信呼の強制切断による鳴音停止ではなく振動検知回数が３回で無音となるので、周囲に迷惑の掛からない場所へ移動して（無音継続時間の設定による）通話を開始することができる。
【００９２】
また、バックの外部から加える振動の間隔を短くすることにより着呼時から無音までのスピーカーの鳴動時間を短縮することができる。
【００９３】
第２の発明は、携帯電話機をバックの内部に収容した状態で着呼し着信報知を認識したとき、ユーザがバックの外部から加える（バックを揺する）振動を１回検知すると直ちにスピーカーの鳴音レベルを周囲の人に迷惑を掛けない鳴音レベル（小音量または無音）に減少するよう制御することができる。
【００９４】
したがって、第１の発明の効果に加え、スピーカの鳴動時間を更に短縮することができる。
【図面の簡単な説明】
【図１】本発明の携帯電話機の主要構成を示すブロック図である。
【図２】各種基準値および機能の登録方法を説明するための図である。
【図３】着呼時から通話開始まで鳴動音量制御を説明するための図である。
【図４】第１の実施の形態における呼出音量制御処理のフローチャートである。
【図５】第２の実施の形態における呼出音量制御処理のフローチャートである。
【符号の説明】
１　　携帯電話機
２　　音量制御機能部
３　　空中線部
４　　表示部
５　　キー入力部
６　　スピーカー部
７　　マイク部
８　　タイマー部
９　　通信部
１０　　共通制御部
１１　　メモリ部
２１　　振動検知部
２２　　振動データ比較制御部
２３　　振動加速度レベル保持部
２４　　音量制御部
２５　　音量レベル保持部
２６　　振動検知回数制御部
２７　　バス
【図１】
2004080616.tif 000003
【図２】
2004080616.tif 000004
【図３】
2004080616.tif 000005
【図４】
2004080616.tif 000006
【図５】
2004080616.tif 000007